(57)【要約】【課題】１００％視野率の光学ファインダを有する撮像装置を小型化する。【解決手段】撮像装置は、被写界を観察するためのファインダ光学系１２１，１２７，１２８と、ファインダ光学系内に配置された表示素子１１２と有する。表示素子は、被写界からの光を透過させる透過領域と、該透過領域の外周に配置され、被写界からの光を透過させない非透過領域（視野マスクベース）とを有する。透過領域と非透過領域との間に、被写界からの光の透過／非透過の切り替えが可能な複数の表示セグメントＬＬ，ＬＢ，Ｄが設けられている。該複数の表示セグメントの透過／非透過の組み合わせの選択により、被写界のうち該撮像装置によって撮影される範囲の全部を観察可能とするファインダ視野が調整される。【選択図】図６
2012237877.tif 000002
【特許請求の範囲】
【請求項１】
被写界を観察するためのファインダ光学系と、前記ファインダ光学系内に配置された表示素子と有する撮像装置であって、
前記表示素子は、前記被写界からの光を透過させる透過領域と、該透過領域の外周に配置され、前記被写界からの光を透過させない非透過領域とを有し、
前記透過領域と前記非透過領域との間に、前記被写界からの光の透過／非透過の切り替えが可能な複数の表示セグメントが設けられており、
該複数の表示セグメントの透過／非透過の組み合わせの選択により、前記被写界のうち該撮像装置によって撮影される範囲の全部を観察可能とするファインダ視野が調整されることを特徴とする撮像装置。
【請求項２】
前記複数の表示セグメントは、
前記透過領域と前記非透過領域の各辺に沿って並列に延びる複数の線セグメントと、
前記透過領域と前記非透過領域との間の各角部において、前記各線セグメントの延長線上に配置された複数の点セグメントとを含み、
前記複数の線セグメントと前記複数の点セグメントの透過／非透過の組み合わせの選択により前記ファインダ視野が調整されることを特徴とする請求項１に記載の撮像装置。
【請求項３】
前記複数の表示セグメントの透過／非透過の組み合わせは、該組み合わせによらず前記ファインダ視野の面積が一定になるように選択されることを特徴とする請求項１又は２に記載の撮像装置。
【発明の詳細な説明】
【技術分野】
【０００１】
本発明は、光学ファインダ（ファインダ光学系）を有する撮像装置に関し、特にファインダ光学系内に表示素子を備えた撮像装置に関する。
【背景技術】
【０００２】
一眼レフカメラ等の撮像装置には、撮影光学系の一次結像面であるピント板の近傍に液晶パネル等のファインダ内表示素子を配置したものがある。該ファインダ内表示素子には、焦点検出領域等の各種情報が表示され、光学ファインダを観察するユーザが該情報を見ながら撮影を行う。
【０００３】
特許文献１には、上記のようなファインダ内表示素子として、透過型の液晶パネル、特に高分子分散型液晶を用いた液晶パネルを備えた撮像装置が開示されている。この液晶パネルは、２枚の透明電極付き透明基板の間に高分子分散型液晶を封入した液晶層を有する複数の表示セグメントが設けられたパネルである。液晶層に印加する電界を制御することによって、表示セグメントの状態が光を透過する状態と拡散する状態（透過させない状態）とに切り替えられる。高分子分散型液晶は、一般的に用いられるＴＮ（ツイストネマチック）液晶に比べて光の透過率が高く、光学ファインダを通して観察される被写界像の明るさの低下が少ないために、ファインダ内表示素子として好適である。
【０００４】
また、特許文献２には、撮影画像の出力サイズ、具体的には１３５サイズや四切プリント等のアスペクト比が異なる画像出力サイズに応じて、ピント板の近傍に配置した液晶パネルに表示するマスクを切り替える撮像装置が開示されている。マスクを切り替えることで、画像出力サイズに対応したファインダ視野を形成することができる。
【０００５】
さらに、特許文献３には、ファインダ内に液晶パネルを用いて大小４種類のファインダ視野枠を表示可能とし、被写体距離（撮影距離）に応じたファインダ視野枠を表示することで、撮影範囲をユーザに知らせるようにした撮像装置が開示されている。
【０００６】
また、撮像装置には、光学ファインダを通して観察可能な被写界の範囲であるファインダ視野と、実際に撮影される被写界の範囲である撮影範囲とを一致させた、いわゆる１００％視野率の光学ファインダを有するものがある。
【先行技術文献】
【特許文献】
【０００７】
【特許文献１】特開２００１−２０１７３１号公報
【特許文献２】特開平０５−２２４２７５号公報
【特許文献３】特開平０６−０９５２１６号公報
【発明の概要】
【発明が解決しようとする課題】
【０００８】
１００％視野率の光学ファインダを実現するためには、ファインダ視野を決定するペンタプリズム、視野マスク、接眼レンズおよびピント板等のファインダ光学部材の撮像装置内での位置調整を、ファインダ視野が撮影範囲と一致するように正確に行う必要がある。このような１００％視野率を達成するためのファインダ光学部材の位置調整を、１００％視野率調整ともいう。具体的には、様々なファインダ光学部材を撮像装置内で一体的に移動させたり、簡易的に視野マスクの位置のみを調整したりする。
【０００９】
しかしながら、撮像装置内でファインダ光学部材の位置調整を可能とするためには、撮像装置の内部スペースを大きく確保しておく必要がある。この結果、撮像装置の大型化につながる。しかも、ファインダ光学部材の位置調整を正確に行うためには、それに必要な時間も長くなるため、撮像装置の生産性が低下するという問題もある。
【００１０】
本発明は、１００％視野率の光学ファインダを有しつつも、小型で生産性が高い撮像装置を提供する。
【課題を解決するための手段】
【００１１】
本発明の一側面としての撮像装置は、被写界を観察するためのファインダ光学系と、ファインダ光学系内に配置された表示素子と有する。表示素子は、被写界からの光を透過させる透過領域と、該透過領域の外周に配置され、被写界からの光を透過させない非透過領域とを有する。透過領域と非透過領域との間に、被写界からの光の透過／非透過の切り替えが可能な複数の表示セグメントが設けられている。そして、該複数の表示セグメントの透過／非透過の組み合わせの選択により、被写界のうち該撮像装置によって撮影される範囲の全部を観察可能とするファインダ視野が調整されることを特徴とする。
【発明の効果】
【００１２】
本発明によれば、ファインダ光学部材のメカニカルな位置調整を行わなくても、表示素子の透過領域と非透過領域との間に設けられた複数の表示セグメントの透過／非透過の組み合わせを選択することにより、１００％視野率の光学ファインダを得ることができる。このため、１００％視野率の光学ファインダを有しつつも、小型で生産性が高い撮像装置を実現することができる。
【図面の簡単な説明】
【００１３】
【図１】本発明の実施例であるカメラのファインダ内表示パネルを示す図。
【図２】実施例のカメラにおけるファインダ視野を示す図。
【図３】実施例のカメラの光学的構成を示す図。
【図４】実施例のカメラの電気的構成を示すブロック図。
【図５】（ａ）実施例のカメラにおける１００％視野調整前のファインダ視野を示す図と、（ｂ）１００％視野調整後のファインダ視野を示す図。
【図６】（ａ）図５のＡ部の拡大図と、（ｂ）図５のＢ部の拡大図。
【図７】実施例のカメラが使用する１００％視野調整工具のチャート図。
【図８】視野マスクラインの組み合わせと視野マスクドットの組み合わせを示す表図。
【図９】上記１００％視野調整工具を示す図。
【図１０】ＰＮ液晶パネルの構造を示す図。
【発明を実施するための形態】
【００１４】
以下、本発明の実施例について図面を参照しながら説明する。
【００１５】
まず図３には、本発明の実施例である撮像装置としてのデジタル一眼レフカメラと該カメラに装着された交換レンズとにより構成されるカメラシステムの光学的構成を示している。同図において、１０１は制御手段としてのカメラＣＰＵであり、本実施例のカメラおよびカメラシステムの動作は、該カメラＣＰＵ１０１によって制御される。
【００１６】
１０５は交換レンズであり、その内部には撮影光学系１０５ａが収容されている。撮影光学系１０５ａの結像面には、カメラ内に設けられたＣＣＤセンサ又はＣＭＯＳセンサにより構成される撮像素子（以下、ＣＣＤという）１０６の撮像面が配置されている。すなわち、撮影光学系１０５ａは、被写界からの光を撮像面上に結像させる。撮影光学系１０５ａにより形成された被写界像は、ＣＣＤ１０６により光電変換される。撮影光学系１０５ａは、図には１つのレンズにより構成されているように記載されているが、実際には複数のレンズや絞り等の光学素子により構成されている。
【００１７】
１３１は交換レンズ１０５に設けられたレンズＣＰＵであり、カメラＣＰＵ１０１との通信が可能である。レンズＣＰＵ１３１は、カメラＣＰＵ１０１からの指令に応じて、撮影光学系１０５ａのフォーカス駆動や絞り駆動等を行う。
【００１８】
１２８はＣＣＤ１０６の撮像面と等価な撮影光学系１０５ａの結像面に配置されたピント板である。撮影光学系１０５ａからの光の一部は、ハーフミラーにより構成された主ミラー１２６によって反射され、ピント板１２８上に被写界像を形成するように１次結像する。ユーザはこの被写界像をペンタプリズム１２７および接眼レンズ１２１を通して観察することができる。ピント板１２８、ペンタプリズム１２７および接眼レンズ１２１により、ＴＴＬ方式のファインダ光学系（以下、光学ファインダともいう）が構成される。
【００１９】
主ミラー１２６を透過した光は、サブミラー１２２で反射して焦点検出ユニット１１９Ａに入射する。焦点検出ユニット１１９Ａは、入射した光に一対の像を形成させる二次結像光学系と、該一対の像を光電変換する一対の受光素子列（ラインセンサ）とを有する。一対のラインセンサは、一対の像に対応する電気信号である一対の像信号を出力する。該一対の像信号の位相差に基づいて撮影光学系１０５ａの焦点状態を検出することができる。このような焦点検出方式を、位相差検出方式という。焦点検出ユニット１１９Ａは、撮影画面内の１１の焦点検出領域にて焦点検出が可能である。そして、カメラは、焦点検出の結果に基づいて撮影光学系１０５ａのフォーカス駆動を制御し（すなわち、オートフォーカスを行い）、該焦点検出領域に含まれる被写体に対して合焦状態を得る。
【００２０】
１３０は測光センサであり、撮影画面を１２の領域に分割して各分割領域（測光領域）の被写界輝度を測定する。ピント板１２８に一次結像した被写界像は、測光レンズ１２９によってさらに測光センサ１３０上に２次結像される。１２個の測光領域は、１１個の焦点検出領域に対応する１１個の測光領域と、１１個の焦点検出領域の周辺部の測光を行う１つの測光領域とを含む。
【００２１】
ファインダ光学系内のうちピント板１２８の近傍には、高分子分散型液晶パネルにより構成されるファインダ内表示パネル（表示素子：以下、ＰＮ液晶パネルという）１１２が配置されている。該ＰＮ液晶パネル１１２は、上述した１１個の焦点検出領域のうち合焦状態が得られた焦点検出領域を、以下の方法で光学ファインダを観察しているユーザに対して表示する。
【００２２】
ＰＮ液晶パネル１１２は、１１個の焦点検出領域のそれぞれを示す枠形状の表示セグメント（以下、焦点検出領域マークという）を有する。非合焦状態の焦点検出領域を示す焦点検出領域マークは、撮影光学系１０５ａからの光、つまりは被写界からの光を透過する透過状態になるため、光学ファインダを観察しているユーザには視認できない。一方、合焦状態になった焦点検出領域を示す焦点検出領域マークは、撮影光学系１０５ａからの光を拡散させて透過させない非透過状態（拡散状態）になり、光学ファインダを観察しているユーザにより視認できる。
【００２３】
また、測光センサ１３０より測定された被写界輝度が所定値以下と判断された場合は、ピント板１２８の近傍に配置されたＬＥＤ１２３が発光し、該ＬＥＤ１２３からの光は導光プリズム１２４を通じてＰＮ液晶パネル１１２に照射される。このとき、ＰＮ液晶パネル１１２上で非透過状態となっている焦点検出領域マークは、ＬＥＤ１２３からの光を拡散反射するため、該焦点検出領域マークが光学ファインダを観察しているユーザに光って見えることになる。
【００２４】
１３３はシャッタであり、ＣＣＤ１０６の露光を制御する。１１３はカメラの背面に設けられた液晶モニタとしての背面モニタであり、撮影画像や各種情報を表示する。
【００２５】
図１には、ＰＮ液晶パネル１１２に設けられた全ての表示セグメントを非透過状態（拡散状態）として示している。なお、カメラの通常の動作状態においてはこのように全ての表示セグメントが非透過状態とされることはないが、図１では説明のために全ての表示セグメントを非透過状態として示している。
【００２６】
ＰＮ液晶パネル１１２には、被写界からの光を透過させる矩形の透過領域と、該透過領域の外周に配置された矩形枠状の非透過領域としての視野マスクベースとを有する。透過領域は、後述する焦点検出領域マーク、焦点検出領域全体マークおよび方眼ラインの部分を除いて、常に透過状態に設定されてファインダ視野の大部分を構成する。視野マスクベースは、常に非透過状態に設定される表示セグメントによって形成される非透過領域である。
【００２７】
視野マスクベース以外の表示セグメントとしては、ファインダ視野内に配置された前述した１１個の焦点検出領域を示す焦点検出領域マークおよび全焦点検出領域が含まれる範囲を示す４つの括弧形状の焦点検出領域全体マークを含む。また、他の表示セグメントとして、ファインダ視野内に配置され、ユーザによる撮影構図の決定を補助するための格子状の方眼ラインも含む。
【００２８】
さらに、別の表示セグメントとして、透過領域と視野マスクベース（非透過領域）との間においてそれら領域の各辺に沿って並列に延びるように配置された複数（２本）の線状の表示セグメント（線セグメント）である視野マスクラインを含む。なお、視野マスクラインの４つの角部は、実際には点状の表示セグメント（点セグメント）である複数の視野マスクドットにより構成されている。視野マスクラインおよび視野マスクドットについては、後に詳しく説明する。
【００２９】
これら表示セグメントは、各表示セグメントを形成する液晶層に印加する電界を制御することで、被写界からの光を透過させる透過状態と、被写界からの光を拡散させて透過させない非透過状態とに切り替えが可能である。
【００３０】
複数の視野マスクラインと視野マスクドットのうち非透過状態とするように選択された視野マスクラインおよび視野マスクドットと、元々の非透過領域である視野マスクベースとにより、それよりも内側のファインダ視野が決定される。
【００３１】
なお、図１では、説明のために、視野マスクラインと視野マスクベースとの間および視野マスクラインの間や視野マスクドットの間にある程度の幅を有する隙間を設けて示しているが、実際の隙間の幅はミクロンオーダーであり、ユーザには隙間がないように見える。
【００３２】
また、視野マスクラインは単純な直線形状ではなく、接眼レンズ１２１で発生する歪曲収差を補正（相殺）する曲線形状にすることが望ましい。また、視野マスクドットは、視野マスクラインが直線形状であっても曲線形状であっても、視野マスクラインの延長線上に配置するのが望ましい。
【００３３】
図２には、実際にユーザが光学ファインダを通して見える表示セグメントのみを示している。後述する１００％視野率調整がなされることで非透過状態に設定された視野マスクラインと視野マスクドットは、視野マスクベースと一体になって非透過領域を形成し、その内側のファインダ視野を決定する。この図では、視野マスクラインと視野マスクベースとの間および視野マスクラインの間や視野マスクドットの間の隙間は省略している。
【００３４】
さらに図２を用いて光学ファインダ視野内の表示について説明する。ＰＮ液晶パネル１１２上には、被写界（撮影範囲）のうち位相差検出方式の焦点検出ユニット１１９Ａによって焦点検出が可能な１１個の焦点検出領域を示す焦点検出領域表示部Ｆ０１〜Ｆ１１が、キャラクタ表示用の表示部として配置されている。ある焦点検出領域にて焦点検出およびオートフォーカスが実行され、その焦点検出領域内の被写体に対して撮影レンズ１０５が合焦状態となる。このとき、該焦点検出領域に対応したＰＮ液晶パネル１１２上の焦点検出領域表示部が非透過状態となる。これにより、その焦点検出領域は、ユーザには黒枠として表示される。合焦状態が得られた焦点検出領域に加えて、撮影レンズ１０５の被写界深度内に入っている（つまり結果的に合焦状態にある被写体を含む）他の焦点検出領域も同時に黒く表示してもよい。
【００３５】
一方、被写界が暗い場合には、前述したように、発光したＬＥＤ１２３からの光によって合焦状態の焦点検出領域に対応する焦点検出領域表示部が照らされ、ユーザには該焦点検出領域が赤く光って見える。
【００３６】
さらに、ファインダ視野外の下方には、カメラの撮影情報を表示するファインダ内表示部１１５が配置されている。撮影情報とは、シャッタ秒時、絞り値、撮影可能画像数等である。
【００３７】
図１０を用いて、ＰＮ液晶パネル１１２の動作原理について説明する。ＰＮ液晶パネル１１２は、上下２枚の板ガラス１１２ａ，１１２ｂとその間に封止された不図示の液晶層とにより構成される。２枚の板ガラス１１２ａ，１１２ｂにおける液晶層に対向する面には、ＩＴＯ（透明電極）による電極パターン（以下、単に電極という）が形成されている。下側の板ガラス１１２ｂの液晶層側の面には、焦点検出領域表示部となる電極Ｌ２と、他の電極Ｌ１がパターニングされている。一方、上側の板ガラス１１２ａの液晶層側の面の全体にはＣＯＭ電極がパターニングされている。ＣＯＭ電極と電極Ｌ１，Ｌ２との間に電圧を加えることで、焦点検出領域表示部の透過／非透過を切り替えることが可能となる。
【００３８】
ＰＮ液晶は、電圧を印加しないと液晶内部の材料の屈折率が様々に異なるためにここに入射した光を散乱し、外観上は非透過（不透明）の状態となる。ＰＮ液晶に電圧を印加すると、液晶内部の材料の屈折率が一様となり、外観上、透過（透明）の状態となる。
【００３９】
したがって、通常はＣＯＭ電極と電極Ｌ１，２電極間には電圧を印加して透明な状態にし、ファインダを覗くユーザに焦点検出領域表示部を見せないようにしている。これにより、光学ファインダを通じて被写界をクリアに観察することが可能となる。
【００４０】
オートフォーカスによって撮影レンズ１０５が合焦状態となると、合焦状態の焦点検出領域に対して設けられた焦点検出領域表示部の電極Ｌ２への通電を遮断することで、該焦点検出領域表示部のみが不透明（黒）となる。これにより、合焦状態が得られたことおよび合焦状態にある焦点検出領域をユーザに知らせる。
【００４１】
図３において、ユーザが図４に示すレリーズＳＷ１１４を押すと、主ミラー１２６は撮影レンズ１０５の光路外に退避する。一方、撮影レンズ１０５によって集光された被写界からの光（被写界像）は、フォーカルプレーンシャッタ１３３にてその光量が制御され、ＣＣＤ１０６によって光電変換される。そして、カメラは、ＣＣＤ１０６からの撮像信号を処理して撮影画像を生成し、これを記録メディアに記録したり背面モニタ１１３に表示したりする。
【００４２】
図４には、本実施例の電気的構成を示している。１０１は図３にも示したＣＰＵであり、その内部には不揮発性メモリであるＥＥＰＲＯＭ１０１ａが構成されている。また、ＣＰＵ１０１には、制御プログラムを記憶しているＲＯＭ１０２の他、ＲＡＭ１０３、データ格納部１０４、画像処理部１０８、表示制御部１１１、レリーズＳＷ１１４および電源供給用のＤＣ／ＤＣコンバータ１１７が接続されている。画像処理部１０８には、ＣＣＤ制御部１０７とＣＣＤ１０６が接続されている。
【００４３】
表示制御部１１１には、背面モニタ（外部表示部）１１３と、前述したファインダ内表示部１１５と、ＰＮ液晶パネル１１２とが接続されており、表示制御部１１１はこれらの駆動を行う。ＬＥＤ制御部１２５は、ＣＰＵ１０１の指示を受けてＰＮ液晶パネル１１２を照明するためのＬＥＤ１２３の明るさを制御する。また、ＤＣ／ＤＣコンバータ１１７には電池１１６から電源が供給されている。
【００４４】
ＣＰＵ１０１は、ＲＯＭ１０２内の制御プログラムに従って各種制御を行う。具体的には、画像処理部１０８から出力された撮影画像を読み込んでＲＡＭ１０３に転送する処理や、ＲＡＭ１０３からＬＣＤ制御部１１１にデータを転送する処理や、画像データをＪＰＥＧ圧縮してファイル形式でデータ格納部１０４に格納する処理を制御する。さらに、ＣＰＵ１０１は、ＣＣＤ１０６、ＣＣＤ制御部１０７、画像処理部１０８およびＬＣＤ制御部１１１に対してデータ取り込み画素数やデジタル画像処理の変更を指示する。
【００４５】
１１９は前述した焦点検出ユニット１１９Ａに設けられた一対のラインセンサを含む焦点検出制御部である。焦点検出制御部１１９は、一対のラインセンサから得られた一対の像信号をＡ／Ｄ変換してＣＰＵ１０１に送る。ＣＰＵ１０１は、焦点検出制御部１１９におけるラインセンサの電荷蓄積時間とＡＧＣ（オートゲインコントロール）の制御を行う。
【００４６】
また、ＣＰＵ１０１は、レリーズＳＷ１１４の操作に伴う撮影動作や、各部への電源供給を制御する。
【００４７】
ＲＡＭ１０３は、画像展開エリア１０３ａ、ワークエリア１０３ｂ、ＶＲＡＭ１０３ｃおよび一時退避エリア１０３ｄを備えている。画像展開エリア１０３ａは、画像処理部１０８から送られてきた撮影画像（ＹＵＶデジタル信号）やデータ格納部１０４から読み出されたＪＰＥＧ圧縮画像データを一時的に格納するためのテンポラリバッファとして用いられる。また、画像展開エリア１０３ａは、画像の圧縮処理や解凍処理のための画像専用ワークエリアとしても使用される。
【００４８】
ワークエリア１０３ｂは、各種プログラムを実行するためのワークエリアである。ＶＲＡＭ１０３ｃは、背面モニタ１１３に表示する表示データを格納するＶＲＡＭとして使用される。また、一時退避エリア１０３ｄは、各種データを一時退避させるためのエリアである。
【００４９】
データ格納部１０４は、ＣＰＵ１０１によりＪＰＥＧ圧縮された撮影画像のデータや、アプリケーションによって参照される各種付属データ等をファイル形式で格納しておくためのフラッシュメモリである。
【００５０】
ＣＣＤ制御部１０７は、ＣＣＤ１０６に対して転送クロック信号やシャッタ信号を供給するためのタイミングジェネレータと、ＣＣＤ出力信号のノイズ除去やゲイン処理を行うための回路を含む。また、ＣＣＤ制御部１０７は、ＣＣＤ１０６から出力されたアナログ信号である撮像信号を１０ビットデジタル信号に変換するためのＡ／Ｄ変換回路や、ＣＰＵ１０１からの解像度変換指示に従って画素間引き処理を行うための回路等も含む。
【００５１】
また、画像処理部１０８は、ＣＣＤ制御部１０７から出力された１０ビットデジタル信号に対してガンマ変換、色空間変換、ホワイトバランス、ＡＥおよびフラッシュ補正等の画像処理を行う。これにより、ＹＵＶ（４：２：２）フォーマットの８ビットデジタル信号である撮影画像データを出力する。撮影レンズ１０５、ＣＣＤ１０６、ＣＣＤ制御部１０７および画像処理部１０８により撮像系が構成される。
【００５２】
表示制御部１１１は、画像処理部１０８から転送されたＹＵＶデジタル画像データやデータ格納部１０４の画像ファイルに対してＪＰＥＧの解凍を行ったＹＵＶデジタル画像データを受け取り、ＲＧＢデジタル信号に変換する。そして、該ＲＧＢデジタル信号により表される画像を背面モニタ１１３に出力する。
【００５３】
レリーズＳＷ１１４は、不図示のレリーズボタンの第１ストローク操作（半押し操作）でオンになる第１のスイッチ（ＳＷ１）と、レリーズボタンの第２ストローク操作（全押し操作）でオンになる第２のスイッチ（ＳＷ１）とを含む。第１のスイッチのオンにより、測光やオートフォーカス等の撮影準備動作が行われ、第２のスイッチのオンにより、撮影画像の生成である撮影動作が行われる。
【００５４】
測光制御部１３２は、ＣＰＵ１０１の指示に従って、測光センサ１３０を駆動して、被写界輝度信号を取り込み、これをＣＰＵ１０１に送る。ＣＰＵ１０１は、被写界輝度信号に基づいて、シャッタスピードおよび絞り値を設定する。
【００５５】
電池１１６は、リチャージャブルな２次電池あるいは乾電池である。ＤＣ／ＤＣコンバータ１１７は、電池１１６から供給された電源の昇圧やレギュレーションを行って複数の電源を作り出し、ＣＰＵ１０１その他の各部に必要な電源を供給する。ＤＣ／ＤＣコンバータ１１７は、ＣＰＵ１０１からの制御信号１１８により各部への電源供給の開始、停止を制御できる。
【００５６】
次に、ＰＮ液晶パネル１１２を用いた光学ファインダの１００％視野率調整について説明する。光学ファインダの１００％視野率調整とは、ＣＣＤ１０６によって撮影される被写界の範囲である撮影範囲と、ユーザが光学ファインダを通して見るファインダ視野の範囲とが一致するように調整することを意味する。
【００５７】
図９において、１５０は１００％視野率調整を行うための調整工具である。この調整工具１５０には、調整が行われるカメラがチャッキングされている。調整工具１５０の一部である調整用チャート１５２からの光が、工具レンズ１５１を通じて、カメラの一次結像面であるＣＣＤ１０６（主ミラー１２６が光路外に退避した状態）あるいはピント板１２８（主ミラー１２６が光路内に配置されている状態）に結像する。調整用チャート１５２には、ＬＥＤにより構成されるバックライト１５５が設けられている。カメラの光学ファインダの視野状態は、調整工具１５０の一部であるＣＣＤカメラ１５４による撮影を通じて観察することができる。
【００５８】
図９において、ピント板１２８、ＰＮ液晶パネル１１２およびペンタプリズム１２７等からなるファインダ系要素が、ペンタホルダ１２５によって保持されている。撮影レンズ１０５の光軸が主ミラー１２６により上方に曲げられて形成された光学ファインダの光軸（ファインダ光軸）に直交する平面において、ファインダ系要素を保持するペンタホルダ１２５がメカニカルに移動されることにより、１００％視野率調整が行われる。
【００５９】
また、従来のカメラでは、ピント板１２８の上部に配置された枠形状の視野マスク（図９には示さず）によりファインダ視野を決定することもできる。このため、１００％視野率調整でも、ファインダ系要素が保持されたペンタホルダを移動させる代わりに、視野マスクの位置のみを上記平面内で移動させてよい。
【００６０】
視野マスクの範囲は、近似的にはＣＣＤ１０６の撮影有効範囲（光電変換有効範囲）に等しいが、厳密にはピント板１２８の屈折率変化と接眼レンズ１２１の光学収差である歪曲収差を加味して得られる曲線からなる開口で定義される。本実施例のカメラでは、この枠状の視野マスクは存在せず、ＰＮ液晶パネル１１２上に形成された複数の表示セグメントを黒く表示する（非透過状態とする）ことでファインダ視野の開口部を決定する。
【００６１】
以下、本実施例での１００％視野率調整の具体的な手順について説明する。図９に示すようにカメラを調整工具１５０に取り付けた後、カメラの撮影動作によって調整用チャート１５２の撮影を行う。
【００６２】
撮影画像は、カメラに接続されたパーソナルコンピュータに転送される。図７に、調整用チャート１５２の撮影画像を示す。同図において、調整用チャート１５２の像（チャート像）が撮影されている。調整用チャート１５２は、撮影画像の四隅付近に位置するように配置されたシンボルを含み、チャート像はこれらシンボルの像である。
【００６３】
パーソナルコンピュータは、撮影画像からこれら４つのチャート像を抽出するとともに、該４つのチャート像の中心座標ＣＣ０（図９に示す実線の交点）と、撮影画像の中心座標ＣＰ０（図９に示す一点鎖線の交点）とを算出する。そして、パーソナルコンピュータは、中心座標ＣＣ０と中心座標ＣＰ０とのｘ方向（左右方向）およびｙ方向（上下方向）の差Ｄｘ，Ｄｙを算出する。
【００６４】
次に、パーソナルコンピュータは、差Ｄｘ，Ｄｙに工具レンズ１５１の結像倍率を乗じた寸法値だけ調整用チャート１５２を移動させるよう、ステッピングモータ１５３を駆動する。つまり、調整前の状態では、カメラは、調整工具１５０によって撮影レンズ１０５の光軸位置にチャッキングされている。しかし、１００％視野調整をメカニカルに行う際は、ファインダ光軸をカメラの撮影画面の中心に合わせるために、調整用チャート１５２の中心（中心座標ＣＣ０）を撮影画面の中心（中心座標ＣＰ０）に一致させる。
【００６５】
この状態で光学ファインダを通して見えるファインダ視野を図５（ａ）に示す。ファインダ視野にて視認される４つのチャート像の中心は、撮影レンズの光軸位置ではなく、撮像画面の中心に一致している。また、図５（ａ）には、光学ファインダの１００％視野率調整前の初期のファインダ視野状態を示す。この初期のファインダ視野内には、ＰＮ液晶パネル１１２の表示セグメントであって視野率１００％に相当する領域のわずかに外側に配置された視野マスクベースが視認されるとともに、その四隅に調整用チャート１５２の４つのチャート像が視認されるのみである。
【００６６】
視野マスクベースのわずかに内側には、初期のファインダ視野内では非表示（透過）状態である視野マスクラインＬＬ１，ＬＢ１，ＬＲ１，ＬＵ１が配置されている。さらに、視野マスクラインＬＬ１，ＬＢ１，ＬＲ１，ＬＵ１のわずかに内側には、同様に初期のファインダ視野内では非表示（透過）状態である視野マスクラインＬＬ２，ＬＢ２，ＬＲ２，ＬＵ２が配置されている。視野マスクラインが非表示状態であることは、図５（ａ）（および図５（ｂ））では、点線を用いて示している。
【００６７】
図５（ａ）のＡ部およびＢ部を拡大してそれぞれ、図６（ａ）および図６（ｂ）の左側に示す。視野マスクラインにより構成される二重の枠の四隅部のそれぞれ（すなわち、透過領域と視野マスクベースとの間の各角部）には、縦２個と横２個の計４個の視野マスクドットが配置されている。
【００６８】
例えば、図６（ａ）の左側の図に示すように、ファインダ視野の左下隅部には、視野マスクドットＤ３１，Ｄ３２，Ｄ３３，Ｄ３４が配置されている。これらの視野マスクドットも、１００％視野率調整前の初期状態では非表示（透過）状態である。また、図６（ｂ）の左側の図に示すように、ファインダ視野の右上隅部には、視野マスクドットＤ２１，Ｄ２２，Ｄ２３，Ｄ２４が配置されており、これらの視野マスクドットも、１００％視野率調整前の初期状態では非表示（透過）状態である。視野マスクドットおよび視野マスクラインが非表示状態であることは、図６（ａ）および図６（ｂ）では、白抜きの矩形により示している。
【００６９】
図５（ａ）のファインダ視野は、調整工具１５０に付属したＣＣＤカメラ１５４によって撮影することができる。そこで、ＣＣＤカメラ１５４により得られたファインダ視野と等価な撮影画像に対してパーソナルコンピュータで画像処理を行うことにより、撮影画像の四隅におけるチャート像と視野マスクベースの像との最短距離をｘ方向およびｙ方向にて測定する。
【００７０】
ｘ方向およびｙ方向にて測定された最短距離をそれぞれ、δｘ１〜δｘ４およびδｙ１〜δｙ４とする。１は右下、２は右上、３は左上、４は左下を示す。そして、パーソナルコンピュータは、
δｘ＝（δｘ１＋δｘ４）／２
δｙ＝（δｙ１＋δｙ２）／２  …（１）
なる計算を行う。計算されたδｘ，δｙは、ＰＮ液晶パネル１１２が、ＣＣＤ１０６を用いた撮影により得られる撮影画像の画面に対して、ｘ方向およびｙ方向にどれだけずれているかを表す。
【００７１】
例えば、視野マスクラインの幅を１４５μｍとし、内外にて平行に延びる視野マスクラインの間隔を５μｍとし、視野マスクドットの各辺の長さを１４５μｍとする。このとき、ファインダ視野に相当する領域は、ＰＮ液晶パネル１１２のうち光を透過する透過領域の面積が一定になるように上下左右に±３００μｍだけ移動可能であり（つまりピッチが１５０μｍであり）、これがメカニカルな調整移動量に相当する。
【００７２】
次に、δｘ，δｙの値から、図８の表１から、視野マスクとして使用するために非透過状態とする視野マスクラインを決定する。δｘとδｙの値が３５０μｍを超えた場合は、異常と判断し、カメラの組み立て状態のチェックを促す。また、δｘとδｙの値が０の場合は、ずれ量が不明になるため、
δｘ＝（δｘ２＋δｘ３）／２
δｙ＝（δｙ３＋δｙ４）／２  …（２）
なる計算によりδｘとδｙを得て、再確認を行う。式（２）は式（１）とは画面の反対側でのδｘ，δｙを求める式である。
【００７３】
非透過状態とする視野マスクドットは、図８の表２から、非透過状態とする視野マスクラインに応じて決定される。
【００７４】
例えば、δｘ＝１００μｍ、δｙ＝２５０μｍである場合、表１から、ｘ方向において非透過状態とする視野マスクラインｘとしてＬＲ１とＬＬ１が決定され、ｙ方向において非透過状態とする視野マスクラインｙとしてＬＢ１とＬＢ２が決定される。さらに、表２から、非透過状態とする視野マスクドットとして、Ｄ１１，Ｄ１３，Ｄ２２，Ｄ２４，Ｄ３１，Ｄ３２，Ｄ３３，Ｄ３４，Ｄ４１，Ｄ４２，Ｄ４３，Ｄ４４が決定される。
【００７５】
こうして決定された視野マスクラインと視野マスクドットを非透過状態としたときのファインダ視野を図５（ｂ）に示す。なお、この図では、非透過状態の視野マスクラインとその延長線上にて非表示状態とされた視野マスクドットとを一体化して示している。
【００７６】
図５（ｂ）のＡ部およびＢ部を拡大してそれぞれ、図６（ａ）および図６（ｂ）の右側に示す。１００％視野率調整の結果、非透過状態とされた視野マスクラインおよび視野マスクドットと元々非透過状態である視野マスクベースとで構成される非透過領域の端とチャート像の端との間の距離ｄが、ｘ方向およびｙ方向の全てで等しくなっている。ここにいう「等しい」とは、ユーザの目視によって等しいと感ずる程度の等しさがあればよく、厳密に等しくなくてもよい。
【００７７】
このように、本実施例では、ファインダ視野の大部分を構成する透過領域と視野マスクベースとの間に、被写界からの光の透過／非透過の切り替えが可能な複数の表示セグメントとしての視野マスクラインおよび視野マスクドットを設けている。そして、表１，２に示した非透過状態とする視野マスクラインと視野マスクドットの選択（言い換えれば、透過／非透過の組み合わせの選択）により、カメラによる撮影範囲の全部を観察可能とする１００％視野率のファインダ視野を得ることができる。なお、非透過状態とする視野マスクラインおよび視野マスクドットの選択（つまりは透過／非透過の組み合わせの選択）は、該選択によらずファインダ視野の面積が一定になるように行われる。
【００７８】
さらに、非透過状態とするように決定された視野マスクラインと視野マスクドットのアドレスが、ＣＰＵ１０１のＥＥＰＲＯＭ１０１ａに記憶される。次回カメラの電源が投入されると、ＣＰＵ１０１は、ＥＥＰＲＯＭ１０１ａから記憶されたアドレスを読み出し、該アドレスに対応する視野マスクラインと視野マスクドットを非透過状態とする。これにより、カメラの製造工程において１００％視野率調整を行っておけば、該カメラを使用するユーザは最初から１００％視野率のファインダ視野を得ることができる。
【００７９】
また、非透過状態とする視野マスクラインと視野マスクドットを決定する別の手法として、以下のような手法を採用してもよい。
【００８０】
図５（ａ）に示したファインダ視野をＣＣＤカメラ１５４で撮影する。そして、その撮影画像において、図７で説明したカメラによる撮影画像を用いる場合と同様に、視野マスクベースの四隅の座標から得られるファインダ視野の中心座標と、４つのチャート像の中心座標とを求める。次に、ファインダ視野の中心座標と４つのチャート像の中心座標とのずれ量およびずれ方向から、非透過状態とする視野マスクラインおよび視野マスクドットを決定する。
【００８１】
このように、ＰＮ液晶パネル１１２の表示セグメントのうち視野マスクベースを常時表示（非透過状態と）し、視野マスクラインと視野マスクドットを選択的に表示（非透過状態と）することで、１００％視野率が得られるようにファインダ視野の位置を調整する。特に、一般に表示素子として用いられているＴＮ液晶パネルではなく、ＰＮ液晶パネルをファインダ視野の調整用に用いたのは、ＰＮ液晶パネルが電圧印加状態での光透過率がＴＮ液晶パネルに比べて高く、明るいファインダ像の観察が可能であるためである。
【００８２】
ただし、ＰＮ液晶パネルは、スタティック駆動しないと、コントラストを高くすることができない。言い換えれば、スタティック駆動が必須という制約があるために表示可能なセグメントをあまり多くできない。これに対し、ＴＮ液晶パネルは、光透過率はあまり高くないが、ダイナミック駆動によるドットマトリックス表示が可能であり、表示自由度が高い。このため、ＰＮ液晶パネル１１２を、ドットマトリックスタイプのＴＮ液晶パネルに置き換えることも可能である。この場合、ファインダ視野を決定する視野マスクベースや視野マスクラインを連続したドットセグメントで構成すればよい。具体的な調整手法は、基本的にはＰＮ液晶パネルを用いる場合と同様であり、ファインダ視野を撮影する工具カメラ１５４により得られた画像をパーソナルコンピュータで解析して、ＴＮ液晶パネルにおいて非透過状態とするドットの範囲を決定すればよい。
【００８３】
以上説明したように、本実施例では、ＰＮ液晶パネル１１２あるいはドットマトリックスタイプのＴＮ液晶パネルの表示セグメントを用いてファインダ１００％視野率の調整を行う。これにより、ペンタプリズム、部材としての視野マスク、接眼レンズおよびピント板を、ファインダ視野がカメラによる撮影範囲と一致するようにカメラ内で一体的に移動させる（メカニカル調整を行う）必要がなくなる。したがって、カメラ内にペンタプリズム等の部材のメカニカル調整用に設けられるスペースを小さくすることができ、カメラを小型化することができる。しかも、ファインダ１００％視野率のための微細なメカニカル調整を不要とすることができるため、該調整に要する時間も短縮してカメラの生産性を向上させることができる。
【００８４】
以上説明した各実施例は代表的な例にすぎず、本発明の実施に際しては、各実施例に対して種々の変形や変更が可能である。
【産業上の利用可能性】
【００８５】
１００％視野率の光学ファインダを備えた撮像装置を提供できる。
【符号の説明】
【００８６】
１１２  ＰＮ液晶パネル
１２１  接眼レンズ
１２７  ペンタプリズム
１２８  ピント板
１５０  調整工具
１５２  調整用チャート
１５４  工具カメラ
【図４】
2012237877.tif 000003
【図１】
2012237877.tif 000004
【図２】
2012237877.tif 000005
【図３】
2012237877.tif 000006
【図５】
2012237877.tif 000007
【図６】
2012237877.tif 000008
【図７】
2012237877.tif 000009
【図８】
2012237877.tif 000010
【図９】
2012237877.tif 000011
【図１０】
2012237877.tif 000012